(57)【要約】【課題】利用者がＤＶＤのコンテンツ等、種々のコンテンツ情報を鑑賞している間に寝てしまった場合でも、寝てしまった個所から簡易に当該コンテンツ情報を鑑賞できるコンテンツ再生制御装置を提供する。【解決手段】コンテンツ再生制御装置は、コンテンツ情報（例えば、ＤＶＤのコンテンツやテレビの映像や音楽等）を再生している最中に、眠気測定値を算出する。そして、コンテンツ再生制御装置は、眠気測定値を監視し、眠気測定値が所定の値に達した場合に、当該閾値に達した時点の再生情報を取得し、当該再生情報を記憶する。これにより、コンテンツ再生制御装置は、利用者が眠った時点におけるコンテンツ情報に関する再生情報を記憶することができる。従って、利用者は、当該再生情報を利用し、眠った時点からコンテンツの再生を再開すれば、簡易に、利用者が見逃した個所からコンテンツを鑑賞することができる。【選択図】図１
2008123625.tif 000002
【特許請求の範囲】
【請求項１】
コンテンツ情報を再生するコンテンツ情報再生手段と、
利用者の眠気を示す眠気測定値を算出する眠気測定手段と、
前記眠気測定値が所定の閾値に達したか否か監視する眠気測定値監視手段と、
前記眠気測定値監視手段により前記眠気測定値が前記閾値に達していると判定された場合に、前記閾値に達した時点の再生情報を生成する再生情報生成処理を行う再生情報生成手段と、
前記再生情報を記憶する記憶手段と、
を備えることを特徴とするコンテンツ再生制御装置。
【請求項２】
前記再生情報生成処理には、前記閾値に達した時点の地点情報取得処理を含み、前記再生情報は、前記地点情報を含むことを特徴とする請求項１に記載のコンテンツ再生制御装置。
【請求項３】
前記再生情報生成手段は、前記再生情報生成処理を行った後の所定期間内は、前記眠気測定値が同一の閾値に達した場合でも前記再生情報生成処理を行わないことを特徴とする請求項１又は２に記載のコンテンツ再生制御装置。
【請求項４】
前記再生情報を検索する再生情報検索手段と、
前記再生情報検索手段により取得した再生情報を一覧表示する一覧情報表示手段と、をさらに備え、前記コンテンツ情報再生手段は、前記一覧表示された再生情報に基づいて、前記コンテンツ情報を再生することを特徴とする請求項１乃至３のいずれか一項に記載のコンテンツ再生制御装置。
【請求項５】
前記眠気測定値監視手段により前記眠気測定値が前記閾値の内、第１の閾値に達していると判定された場合に、前記コンテンツ情報の記録を行う記録制御手段をさらに備え、前記記憶手段は、前記記録した情報を記憶することを特徴とする請求項１乃至４のいずれか一項に記載のコンテンツ再生制御装置。
【請求項６】
前記記録制御手段は、前記コンテンツの記録を行っている間に、前記眠気測定値監視手段により前記眠気測定値が第２の閾値を下回ったと判定された場合に、前記コンテンツの記録を停止することを特徴とする請求項５に記載のコンテンツ再生制御装置。
【請求項７】
利用者の眠気を示す眠気測定値に応じて、コンテンツの再生状態を制御するコンテンツ再生制御方法であって、
コンテンツ情報を再生するコンテンツ情報再生工程と、
前記眠気測定値を算出する眠気測定工程と、
前記眠気測定値が所定の閾値に達したか否か監視する眠気測定値監視工程と、
前記眠気測定値監視工程により前記眠気測定値が前記閾値に達していると判定された場合に、前記閾値に達した時点の再生情報を生成する再生情報生成処理を行う再生情報生成工程と、
前記再生情報を記憶する記憶工程と、を備えることを特徴とするコンテンツ再生制御方法。
【請求項８】
利用者の眠気を示す眠気測定値に応じて、コンテンツの再生状態を制御するコンピュータによって実行されるコンテンツ再生制御プログラムであって、
コンテンツ情報を再生するコンテンツ情報再生手段と、
前記眠気測定値を算出する眠気測定手段と、
前記眠気測定値が所定の閾値に達したか否か監視する眠気測定値監視手段と、
前記眠気測定値監視手段により前記眠気測定値が前記閾値に達していると判定された場合に、前記閾値に達した時点の再生情報を生成する再生情報生成処理を行う再生情報生成手段と、
前記再生情報を記憶する記憶手段、として前記コンピュータを機能させることを特徴とするコンテンツ再生制御プログラム。
【請求項９】
コンテンツ情報を再生するコンテンツ情報再生手段と、
利用者の眠気を示す眠気測定値を算出する眠気測定手段と、
前記眠気測定値が所定の閾値に達したか否か監視する眠気測定値監視手段と、
前記眠気測定値監視手段により前記眠気測定値が前記閾値に達していると判定された場合に、前記コンテンツ情報の記録を行う記録制御手段と、
前記記録したコンテンツ情報を記憶する記憶手段と、
を備えることを特徴とするコンテンツ再生制御装置。
【請求項１０】
利用者の眠気を示す眠気測定値に応じて、コンテンツの再生状態を制御するコンテンツ再生制御方法であって、
コンテンツ情報を再生するコンテンツ情報再生工程と、
前記眠気測定値を算出する眠気測定工程と、
前記眠気測定値が所定の閾値に達したか否か監視する眠気測定値監視工程と、
前記眠気測定値監視工程により前記眠気測定値が前記閾値に達していると判定された場合に、前記コンテンツ情報の記録を行う記録制御工程と、
前記記録したコンテンツ情報を記憶する記憶工程と、
を備えることを特徴とするコンテンツ再生制御方法。
【請求項１１】
利用者の眠気を示す眠気測定値に応じて、コンテンツの再生状態を制御するコンピュータによって実行されるコンテンツ再生制御プログラムであって、
コンテンツ情報を再生するコンテンツ情報再生手段と、
前記眠気測定値を算出する眠気測定手段と、
前記眠気測定値が所定の閾値に達したか否か監視する眠気測定値監視手段と、
前記眠気測定値監視手段により前記眠気測定値が前記閾値に達していると判定された場合に、前記コンテンツ情報の記録を行う記録制御手段と、
前記記録したコンテンツ情報を記憶する記憶手段、として前記コンピュータを機能させることを特徴とするコンテンツ再生制御プログラム。
【発明の詳細な説明】
【技術分野】
【０００１】
本発明は、コンテンツ再生を制御する技術に関する。
【背景技術】
【０００２】
ＤＶＤ（Digital Video Disk）再生機等が車に搭載されている場合、同乗者は、当該ＤＶＤ再生機を利用することにより、車内でＤＶＤのコンテンツを鑑賞することができる。
【０００３】
しかし、同乗者が鑑賞中に寝てしまった場合、再度、寝てしまった個所を所定の方法で探した後、再度、再生しなければならず、操作が煩雑であった。
【０００４】
なお、以下の特許文献１には、運転者の心拍を測定する心拍装置について記載されている。
【０００５】
【特許文献１】特許３０１１３５８号公報
【発明の開示】
【発明が解決しようとする課題】
【０００６】
本発明は、利用者がＤＶＤのコンテンツ等、種々のコンテンツ情報を鑑賞している間に寝てしまった場合でも、寝てしまった個所から簡易に当該コンテンツ情報を鑑賞できるコンテンツ再生制御装置を提供することにある。
【課題を解決するための手段】
【０００７】
請求項１に記載の発明は、コンテンツ情報を再生するコンテンツ情報再生手段と、利用者の眠気を示す眠気測定値を算出する眠気測定手段と、前記眠気測定値が所定の閾値に達したか否か監視する眠気測定値監視手段と、前記眠気測定値監視手段により前記眠気測定値が前記閾値に達していると判定された場合に、前記閾値に達した時点の再生情報を生成する再生情報生成処理を行う再生情報生成手段と、前記再生情報を記憶する記憶手段と、を備えることを特徴とする。
【０００８】
請求項７に記載の発明は、利用者の眠気を示す眠気測定値に応じて、コンテンツの再生状態を制御するコンテンツ再生制御方法であって、コンテンツ情報を再生するコンテンツ情報再生工程と、前記眠気測定値を算出する眠気測定工程と、前記眠気測定値が所定の閾値に達したか否か監視する眠気測定値監視工程と、前記眠気測定値監視工程により前記眠気測定値が前記閾値に達していると判定された場合に、前記閾値に達した時点の再生情報を生成する再生情報生成処理を行う再生情報生成工程と、前記再生情報を記憶する記憶工程と、を備えることを特徴とする。
【０００９】
請求項８に記載の発明は、利用者の眠気を示す眠気測定値に応じて、コンテンツの再生状態を制御するコンピュータによって実行されるコンテンツ再生制御プログラムであって、コンテンツ情報を再生するコンテンツ情報再生手段と、前記眠気測定値を算出する眠気測定手段と、前記眠気測定値が所定の閾値に達したか否か監視する眠気測定値監視手段と、前記眠気測定値監視手段により前記眠気測定値が前記閾値に達していると判定された場合に、前記閾値に達した時点の再生情報を生成する再生情報生成処理を行う再生情報生成手段と、前記再生情報を記憶する記憶手段、として前記コンピュータを機能させることを特徴とする。
【００１０】
請求項９に記載の発明は、コンテンツ情報を再生するコンテンツ情報再生手段と、利用者の眠気を示す眠気測定値を算出する眠気測定手段と、前記眠気測定値が所定の閾値に達したか否か監視する眠気測定値監視手段と、前記眠気測定値監視手段により前記眠気測定値が前記閾値に達していると判定された場合に、前記コンテンツ情報の記録を行う記録制御手段と、前記記録したコンテンツ情報を記憶する記憶手段と、を備えることを特徴とする。
【００１１】
請求項１０に記載の発明は、利用者の眠気を示す眠気測定値に応じて、コンテンツの再生状態を制御するコンテンツ再生制御方法であって、コンテンツ情報を再生するコンテンツ情報再生工程と、前記眠気測定値を算出する眠気測定工程と、前記眠気測定値が所定の閾値に達したか否か監視する眠気測定値監視工程と、前記眠気測定値監視工程により前記眠気測定値が前記閾値に達していると判定された場合に、前記コンテンツ情報の記録を行う記録制御工程と、前記記録したコンテンツ情報を記憶する記憶工程と、を備えることを特徴とする。
【００１２】
請求項１１に記載の発明は、利用者の眠気を示す眠気測定値に応じて、コンテンツの再生状態を制御するコンピュータによって実行されるコンテンツ再生制御プログラムであって、コンテンツ情報を再生するコンテンツ情報再生手段と、前記眠気測定値を算出する眠気測定手段と、前記眠気測定値が所定の閾値に達したか否か監視する眠気測定値監視手段と、前記眠気測定値監視手段により前記眠気測定値が前記閾値に達していると判定された場合に、前記コンテンツ情報の記録を行う記録制御手段と、前記記録したコンテンツ情報を記憶する記憶手段、として前記コンピュータを機能させることを特徴とする。
【発明を実施するための最良の形態】
【００１３】
本発明の好適な実施形態では、コンテンツ再生制御装置は、コンテンツ情報を再生するコンテンツ情報再生手段と、利用者の眠気を示す眠気測定値を算出する眠気測定手段と、前記眠気測定値が所定の閾値に達したか否か監視する眠気測定値監視手段と、前記眠気測定値監視手段により前記眠気測定値が前記閾値に達していると判定された場合に、前記閾値に達した時点の再生情報を生成する再生情報生成処理を行う再生情報生成手段と、前記再生情報を記憶する記憶手段と、を備える。
【００１４】
上記のコンテンツ再生制御装置は、コンテンツ情報（例えば、ＤＶＤのコンテンツやテレビの映像やＣＤ（Ｃｏｍｐａｃｔ  Ｄｉｓｋ）等の音楽等）を再生している最中に、眠気測定値を算出する。そして、コンテンツ再生制御装置は、眠気測定値を監視し、眠気測定値が所定の値に達した場合に、当該閾値に達した時点（再生ポイント）の再生情報を取得し、当該再生情報を記憶する。ここで、再生情報とは、当該閾値に達した時点における、コンテンツ再生状態（時刻、コンテンツの再生個所等）に関する情報である。
【００１５】
これにより、コンテンツ再生制御装置は、利用者が眠った時点におけるコンテンツ情報に関する再生情報を記憶することができる。従って、利用者は、当該再生情報を利用し、眠った時点からコンテンツの再生を再開すれば、簡易に、利用者が見逃した個所からコンテンツを鑑賞することができる。
【００１６】
上記のコンテンツ再生制御装置の一態様では、前記再生情報生成処理には、前記閾値に達した時点の地点情報取得処理を含み、前記再生情報は、前記地点情報を含む。これにより、利用者がどの時点からコンテンツを再生すべきか判断する際の、有益な情報を提供できる。
【００１７】
上記のコンテンツ再生制御装置の一態様では、前記再生情報生成手段は、前記再生情報生成処理を行った後の所定期間内は、前記眠気測定値が同一の閾値に達した場合でも前記再生情報生成処理を行わない。この場合、コンテンツ再生制御装置は、一度ある閾値に達したことによって再生情報を取得すると、所定の期間中に当該閾値に達しても、再生情報を取得しない。これにより、コンテンツ再生制御装置は、ほぼ同一時点の再生情報について、複数回記憶することがないため、再生情報の記憶領域を無駄に消費することを防止できる。
【００１８】
上記のコンテンツ再生制御装置の一態様では、前記再生情報を検索する再生情報検索手段と、前記再生情報検索手段により取得した再生情報を一覧表示する一覧情報表示手段と、をさらに備え、前記コンテンツ再生手段は、前記一覧表示された再生情報に基づいて、前記コンテンツ情報を再生する。この場合、コンテンツ再生制御装置は、記憶された再生情報を一覧表示する。そして、一覧表示をした再生情報が選択されると、当該再生情報を基にコンテンツ情報の再生を行う。これにより、コンテンツ再生制御装置は、利用者が眠った時点以降のコンテンツ情報を再生することができる。
【００１９】
上記のコンテンツ再生制御装置の一態様では、前記眠気測定値監視手段により前記眠気測定値が前記閾値の内、第１の閾値に達していると判定された場合に、前記コンテンツ情報の記録を行う記録制御手段をさらに備え、前記記憶手段は、前記記録した情報を記憶する。この場合、コンテンツ再生制御装置は、眠気測定値を参照した結果、利用者が眠っていると判断できる場合に、利用者が眠っていると判断した時点からコンテンツの記録を行う。
【００２０】
これにより、利用者が眠った時点以降のコンテンツ記録内容を記憶することができる。従って、利用者は、当該眠った時点からコンテンツ記録内容を鑑賞すれば、簡易に見逃した個所からコンテンツ情報を鑑賞することができる。
【００２１】
上記のコンテンツ再生制御装置の一態様では、前記記録制御手段は、前記コンテンツの記録を行っている間に、前記眠気測定値監視手段により前記眠気測定値が、第２の閾値を下回ったと判定された場合に、前記コンテンツの記録を停止する。この場合、コンテンツ再生制御装置は、眠気測定値を参照した結果、利用者の目が覚めたと判断できる場合に、利用者の目が覚めたと判断した時点で記録を停止する。
【００２２】
これにより、コンテンツ再生制御装置は、利用者が目を覚ましたにも関わらず、コンテンツ情報を記録し続けることを防止することができる。
【００２３】
本発明の他の観点では、利用者の眠気を示す眠気測定値に応じて、コンテンツの再生状態を制御するコンテンツ再生制御方法であって、コンテンツ情報を再生するコンテンツ情報再生工程と、前記眠気測定値を算出する眠気測定工程と、前記眠気測定値が所定の閾値に達したか否か監視する眠気測定値監視工程と、前記眠気測定値監視工程により前記眠気測定値が前記閾値に達していると判定された場合に、前記閾値に達した時点の再生情報を生成する再生情報生成処理を行う再生情報生成工程と、前記再生情報を記憶する記憶工程と、を備える。
【００２４】
このコンテンツ再生制御方法によれば、上記のコンテンツ再生制御装置と同様に、利用者が眠った時点におけるコンテンツ情報に関する再生情報を記憶することができる。従って、利用者は、当該再生情報を利用し、眠った時点からコンテンツの再生を再開すれば、簡易に、利用者が見逃した個所からコンテンツを鑑賞することができる。
【００２５】
本発明の他の観点では、利用者の眠気を示す眠気測定値に応じて、コンテンツの再生状態を制御するコンピュータによって実行されるコンテンツ再生制御プログラムであって、コンテンツ情報を再生するコンテンツ情報再生手段と、前記眠気測定値を算出する眠気測定手段と、前記眠気測定値が所定の閾値に達したか否か監視する眠気測定値監視手段と、前記眠気測定値監視手段により前記眠気測定値が前記閾値に達していると判定された場合に、前記閾値に達した時点の再生情報を生成する再生情報生成処理を行う再生情報生成手段と、前記再生情報を記憶する記憶手段、として前記コンピュータを機能させる。このプログラムを、コンピュータ上で実行することにより、上記のコンテンツ再生制御装置を実現することができる。
【００２６】
本発明の他の観点では、コンテンツ再生制御装置は、コンテンツ情報を再生するコンテンツ情報再生手段と、利用者の眠気を示す眠気測定値を算出する眠気測定手段と、前記眠気測定値が所定の閾値に達したか否か監視する眠気測定値監視手段と、前記眠気測定値監視手段により前記眠気測定値が前記閾値に達していると判定された場合に、前記コンテンツ情報の記録を行う記録制御手段と、前記記録したコンテンツ情報を記憶する記憶手段と、を備える。
【００２７】
上記のコンテンツ再生制御装置は、コンテンツ情報（例えば、音楽やテレビの映像等）を再生している最中に、眠気測定値を算出する。そして、コンテンツ再生制御装置は、眠気測定値を監視し、眠気測定値が所定の値に達した場合に、当該閾値に達した時点からコンテンツ情報を記録する。
【００２８】
これにより、利用者が眠った時点以降のコンテンツ内容を記憶することができる。従って、利用者は、当該眠った時点からコンテンツ内容を鑑賞することができる。
【００２９】
本発明の他の観点では、利用者の眠気を示す眠気測定値に応じて、コンテンツの再生状態を制御するコンテンツ再生制御方法であって、コンテンツ情報を再生するコンテンツ情報再生工程と、前記眠気測定値を算出する眠気測定工程と、前記眠気測定値が所定の閾値に達したか否か監視する眠気測定値監視工程と、前記眠気測定値監視工程により前記眠気測定値が前記閾値に達していると判定された場合に、前記コンテンツ情報の記録を行う記録制御工程と、前記記録したコンテンツ情報を記憶する記憶工程と、を備える。
【００３０】
このコンテンツ再生制御方法によれば、上記のコンテンツ再生制御装置と同様に、利用者が眠った時点以降のコンテンツ内容を記憶することができる。従って、利用者は、当該眠った時点からコンテンツ内容を鑑賞することができる。
【００３１】
本発明の他の観点では、利用者の眠気を示す眠気測定値に応じて、コンテンツの再生状態を制御するコンピュータによって実行されるコンテンツ再生制御プログラムであって、コンテンツ情報を再生するコンテンツ情報再生手段と、前記眠気測定値を算出する眠気測定手段と、前記眠気測定値が所定の閾値に達したか否か監視する眠気測定値監視手段と、前記眠気測定値監視手段により前記眠気測定値が前記閾値に達していると判定された場合に、前記コンテンツ情報の記録を行う記録制御手段と、前記記録したコンテンツ情報を記憶する記憶手段、として前記コンピュータを機能させるこのプログラムを、コンピュータ上で実行することにより、上記のコンテンツ再生制御装置を実現することができる。
【実施例】
【００３２】
以下、図面を参照して本発明の好適な実施例について説明する。
【００３３】
［コンテンツ再生制御装置］
図１に、コンテンツ再生制御装置１のブロック図を示す。本実施例では、コンテンツ再生制御装置１が車内に設けられている。図１に示すコンテンツ再生制御装置１は、ナビゲーションシステム部３、ＭＴ（Minor Tremor）ピックアップ８、心拍検出部９、制御部１１、時間設定部１４、時間計測部１５、眠気閾値設定部１６、眠気測定部１７、眠気測定値監視部１８、再生情報検索部１９、録画制御部２０、再生ポイント制御部２１、映像情報記録再生部２２、表示部２４、操作入力部２５、Ｄ／Ａコンバータ２７、オーディオ回路部２６、スピーカ２８Ａ〜２８Ｄ、再生情報生成部２９及び表示制御部３０を有する。以上の各要素は、ＣＰＵバス１００を介して接続されており、制御部１１によって統括的に制御される。
【００３４】
表示部２４は、コンテンツ再生制御装置１の動作状況等を表示するものであり、具体的には、ＬＣＤ（Liquid Crystal Display）等である。操作入力部２５は、利用者が各種コマンドやデータを入力するための、キー、スイッチ、ボタン、リモコン、音声入力装置等から構成されている。操作入力部２５は、車内に搭載されたコンテンツ再生制御装置１の本体のフロントパネルや表示部２４の周囲に配置される。また、表示部２４がタッチパネル方式である場合には、表示部２４の表示画面上に設けられたタッチパネルも操作入力部２５として機能する。
【００３５】
ナビゲーションシステム部３は、車両の現在地点を検出してこの検出された現在地点を地図情報にリンクさせてディスプレイ表示することにより、車両を所定の目的地に誘導する、いわゆるカーナビゲーションシステムである。ナビゲーションシステム部３の詳細については後述する。ナビゲーションシステム部３を使用することにより、車両の現在地点の地点情報を取得することができる。
【００３６】
ＭＴピックアップ８は、所定の座席に装備されたシートベルトに付着形成されており、利用者の皮膚表面において生じる１〜１０ミクロン程度の皮膚振動を検出してこの検出した皮膚振動に対応した皮膚振動信号を心拍検出部９に供給する。図３は、かかるＭＴピックアップ８の付着形成形態の一例を示す図である。
【００３７】
図３において、座席８１に装備されたシートベルト８２には、ピックアップ固定環８２ａが移動自在に環装されている。ＭＴピックアップ８は、かかるピックアップ固定環８２ａに付着形成されている。ＭＴピックアップ８から得られた皮膚振動信号を伝送するための伝送ケーブルは、シートベルト８２に環装されている伸縮自在なジャバラ部材８２ｂを介してシートベルトバックル８２ｃに接続されている。つまり、ＭＴピックアップ８から出力された皮膚振動信号は、このシートベルトバックル８２ｃを介して上記心拍検出部９に供給される。
【００３８】
利用者は、シートベルト８２の装着時において、かかるＭＴピックアップ８の皮膚振動検出面が運転者に触れる位置にくるように上記ピックアップ固定環８２ａを移動調整する。この際、かかるＭＴピックアップ８は、利用者の身体に直に触れている必要はない。つまり、ＭＴピックアップ８の皮膚振動検出面が衣服及びシートベルト８２を介して利用者に触れていれば良い。
【００３９】
心拍検出部９は、供給された皮膚振動信号に基づいて、利用者の心拍に対応した心拍信号を生成してこれをＣＰＵバス１００へ送出する。
【００４０】
眠気測定部１７は、心拍検出部９がＣＰＵバス１００へ送出した心拍信号を基に眠気測定値を算出する。具体的には、眠気測定部１７は、心拍信号の各拍動間隔における信号に対して、ＦＦＴ（Ｆａｓｔ  Ｆｏｕｒｉｅｒ  Ｔｒａｎｓｆｏｒｍａｔｉｏｎ）処理を施して、かかる拍動間隔の信号における０．０５〜０．１５［Ｈｚ］成分、及び０．１５〜０．４［Ｈｚ］成分各々を測定する。拍動間隔の信号における０．０５〜０．１５［Ｈｚ］成分をＭＷＳＡ（Ｍａｙｅｒ  Ｗａｖｅ  ｒｅｌａｔｅｄ  Ｓｉｎｕｓ  Ａｒｒｈｙｔｈｍｉａ）値とし、拍動間隔の信号における０．１５〜０．４［Ｈｚ］成分をＲＳＡ（Ｒｅｓｐｉｒａｔｏｒｙ  Ｓｉｎｕｓ  Ａｒｒｈｙｔｈｍｉａ）値とする。そして、眠気測定部１７は、ＲＳＡ値をＭＷＳＡ値で除算した結果に対して、所定の係数を乗算して得た値を眠気測定値として算出する。
【００４１】
上記ＭＷＳＡ値とは、呼吸運動に関わる上記拍動間隔のゆらぎを示すものであり、交感神経系の活動指標として利用することが知られている。又、上記ＲＳＡ値とは、血圧変動に関わる拍動間隔のゆらぎを示すものであり、副交感神経系の活動指標として利用することが知られている。
【００４２】
眠気測定値監視部１８は、眠気測定部１７が算出した眠気測定値を監視し、所定の閾値に達しているか否か判定する。
【００４３】
再生ポイント制御部２１は、眠気測定値監視部１８が判定した結果に応じて、再生ポイントの情報である再生情報を記憶するか否か制御する。ここで、「再生ポイント」とは、ＤＶＤなどのコンテンツの再生中において、利用者が眠った時点、具体的には、眠気測定値が所定の閾値を越えた時点を指す。また、再生ポイントの情報である「再生情報」は、各再生ポイントを識別する識別子、再生ポイント時の地点情報、眠気測定値、再生ポイント時の時刻及び再生経過時間等を含む。
【００４４】
再生情報生成部２９は、ナビゲーションシステム部３から地点情報を取得したり、映像情報記録再生部２２から再生箇所（再生開始からの経過時刻等）を取得したりすることにより、再生情報を生成する。
【００４５】
録画制御部２０は、眠気測定値監視部１８が判定した結果に応じて、テレビ放送を録画するか否か制御する。さらに、テレビ放送の録画中である場合に、眠気測定値監視部１８が判定した結果に応じて、録画を停止する。
【００４６】
再生情報検索部１９は、所定の方法（例えば、利用者の操作指定等）により選択されたコンテンツに対して、再生情報が記憶されているか否か検索する。
【００４７】
映像情報記録再生部２２は、ＤＶＤやテレビ等の映像情報を再生したり、所定の情報（再生情報等）やテレビ放送などを録画したりする。具体例として、ＨＤＤ（Hard Disk Drive）レコーダ等が挙げられる。
【００４８】
表示制御部３０は、再生情報の一覧画面等を表示部２４へ表示する等、表示部２４の表示状態を制御する。
【００４９】
時間設定部１４は、再生ポイントを検出した後、次の再生ポイントの検出を禁止する期間（以下、「再検出禁止期間」とも呼ぶ）を設定する。時間計測部１５は、現時点の時間を取得する。
【００５０】
眠気閾値設定部１６は、再生ポイントを検出するための基準値である閾値を設定する。なお、当該閾値は、複数設定可能とする。
【００５１】
映像情報記録再生部２２から出力されたデジタル音声データは、Ｄ／Ａ（Ｄｉｇｉｔａｌ  ｔｏ  Ａｎａｌｏｇ）変換を行うＤ／Ａコンバータ２７によって、音声アナログデータへ変換され、当該音声アナログ信号は、オーディオ回路部２６によって増幅される。そして、増幅された音声アナログ信号は、スピーカ２８Ａ〜２８Ｄによって音声変換された後に外部へ出力される。
【００５２】
［ナビゲーションシステム部の説明］
図２に、本発明の実施例に係るナビゲーションシステム部３の構成を示す。図２に示すように、ナビゲーションシステム部３は、自立測位装置２１０、ＧＰＳ受信機２１８、システムコントローラ２２０、データ記憶ユニット２３６を備える。
【００５３】
自立測位装置２１０は、加速度センサ２１１、角速度センサ２１２及び距離センサ２１３を備える。加速度センサ２１１は、例えば圧電素子からなり、車両の加速度を検出し、加速度データを出力する。角速度センサ２１２は、例えば振動ジャイロからなり、車両の方向変換時における車両の角速度を検出し、角速度データ及び相対方位データを出力する。距離センサ２１３は、車両の車輪の回転に伴って発生されているパルス信号からなる車速パルスを計測する。
【００５４】
ＧＰＳ受信機２１８は、複数のＧＰＳ衛星から、測位用データを含む下り回線データを搬送する電波２１９を受信する。測位用データは、緯度及び経度情報等から車両の絶対的な位置を検出するために用いられる。
【００５５】
システムコントローラ２２０は、インタフェース２２１、ＣＰＵ（Ｃｅｎｔｒａｌ  Ｐｒｏｃｅｓｓｉｎｇ  Ｕｎｉｔ）２２２、ＲＯＭ（Ｒｅａｄ  Ｏｎｌｙ  Ｍｅｍｏｒｙ）２２３及びＲＡＭ（Ｒａｎｄｏｍ  Ａｃｃｅｓｓ  Ｍｅｍｏｒｙ）２２４を含んでおり、ナビゲーションシステム部３全体の制御を行う。なお、本実施例では、システムコントローラ２２０を制御部１１と別個に構成しているが、その代わりに、制御部１１がシステムコントローラ２２０の機能も備えるように構成してもよい。
【００５６】
インタフェース２２１は、加速度センサ２１１、角速度センサ２１２及び距離センサ２１３並びにＧＰＳ受信機２１８とのインタフェース動作を行う。そして、これらから、車速パルス、加速度データ、相対方位データ、角速度データ、ＧＰＳ測位データ、絶対方位データ等をシステムコントローラ２２０に入力する。ＣＰＵ２２２は、システムコントローラ２２０全体を制御する。ＲＯＭ２２３は、システムコントローラ２２０を制御する制御プログラム等が格納された図示しない不揮発性メモリ等を有する。ＲＡＭ２２４は、入力装置６０を介して使用者により予め設定された経路データ等の各種データを読み出し可能に格納したり、ＣＰＵ２２２に対してワーキングエリアを提供したりする。
【００５７】
データ記憶ユニット２３６は、例えば、ＨＤＤなどにより構成され、地図データや施設データなどのナビゲーション処理に用いられる各種データを記憶する。
【００５８】
以上の構成を有する本実施例においては、コンテンツ再生制御装置１がコンテンツ再生制御装置として機能する。映像情報記録再生部２２がコンテンツ情報再生手段及び記憶手段として機能し、眠気測定部１７が眠気測定手段として機能する。眠気測定値監視部１８が眠気測定値監視手段として機能し、再生情報生成部２９が再生情報生成手段として機能する。再生情報検索部１９が再生情報検索手段として機能し、表示制御部３０が一覧情報表示手段として機能し、録画制御部２０が記録制御手段として機能する。また、地点情報取得処理とは、ＧＰＳ受信機２１８から現在位置を識別し、当該現在位置に該当する地点情報をデータ記憶ユニット２３６から取得する処理である。
【００５９】
［第１実施例］
第１実施例は、ＤＶＤなどのコンテンツの再生中に利用者が眠りに入った場合に、その時点の情報を記憶しておくものである。
【００６０】
（眠気測定値の監視）
図４に眠気測定値の変動状態の例を示す。縦軸は、眠気測定値であり、横軸は、時間である。時間設定部１４は、利用者の操作に応じて、再検出禁止期間Ｔを定める。眠気測定部１７は、心拍検出部９が検出した心拍数を基に、眠気測定値を計測する。眠気測定値監視部１８は、眠気測定値が設定した閾値へ達しているか否か判定する。
【００６１】
図４の例では、３つの閾値が設定されている。「閾値０」は利用者が眠っていない場合の眠気測定値に対応し、「閾値１」は利用者が比較的浅い眠りに入った場合の眠気測定値に対応し、「閾値２」は利用者が比較的深い眠りに入った場合の眠気測定値に対応する。図示の例では、眠気測定値監視部１８は、ポイントＰ１及びポイントＰ２の時点で眠気測定値が閾値１に達していることを検出し、利用者が比較的浅い眠りに入ったと判定する。また、眠気測定値監視部１８は、ポイントＰ３、ポイントＰ４及びポイントＰ５の時点で眠気測定値が閾値２に達していることを検出し、利用者が比較的深い眠りに入ったと判定する。
【００６２】
再生ポイント制御部２１は、眠気測定値監視部１８により眠気測定値が閾値１又は閾値２に達していると判定された場合、当該閾値１又は閾値２に達した時点を再生ポイントとして設定し、再生情報を記憶する。
【００６３】
ただし、再生ポイント制御部２１は、眠気測定値監視部１８により眠気測定値が閾値１又は閾値２に達していると検出された場合においても、直前の再検出禁止期間Ｔの間に、同一の閾値１又は閾値２に達したことにより、再生ポイントを設定していたならば、その検出したポイントを再生ポイントとして認定せず、再生情報の記憶も行わない。即ち、再生ポイント制御部２１は、１回再生ポイントを設定したら、そこから再検出禁止期間Ｔの間は再生ポイントの設定を行わない。
【００６４】
図４の例では、上記の規則に従うと、再生ポイント制御部２１は、ポイントＰ１、ポイントＰ３、ポイントＰ５を再生ポイントとして認定し、ポイント２及びポイントＰ４については、直前の再検出禁止期間Ｔの間に再生ポイントが存在するため、再生ポイントとして設定しない。
【００６５】
これにより、再生ポイント制御部２１は、所定の再検出禁止期間Ｔの間は同一閾値に基づいて再生ポイントを設定しないため、短い間に連続して再生情報の記憶を行うことがない。従って、再生ポイント制御部２１が必要以上に多数の再生ポイントを設定し、必要以上に多数の再生情報を記憶することを防止している。
【００６６】
再生ポイント制御部２１が再生ポイントを設定すると、再生情報生成部２９は、その再生ポイントにおける再生情報を生成する。具体的には、再生情報生成部２９は、再生情報として、当該コンテンツの再生年月日（以下、「再生年月日」とも呼ぶ。）、当該コンテンツの再生開始時からの再生経過時間（以下、「再生経過時間」とも呼ぶ。）、眠気測定値、及び、再生ポイントにおける地点情報（以下、単に「地点情報」とも呼ぶ。）を生成する。具体的に、再生情報生成部２９は、時間計測部１５から当該コンテンツの再生年月日を取得し、映像情報記録再生部２２から当該コンテンツの再生開始時からの再生経過時間を取得する。また、再生情報生成部２９は、眠気測定値監視部１８から眠気測定値を取得し、ナビゲーションシステム部３から再生ポイントにおける地点情報を取得する。
【００６７】
表示制御部３０は、こうして再生情報が生成されると、図５に示すように、表示部２４の画面上の再生情報表示領域３１に再生情報を表示する。具体的に、表示制御部３０は、再生ポイント識別子表示領域３２に「再生ポイント識別子」を表示し、再生経過時間表示領域３３に「再生経過時間」を表示し、眠気測定値表示領域３４に「眠気測定値」を表示し、地点情報表示領域３５に「地点情報」を表示する。
【００６８】
映像情報記録再生部２２においてテレビ放送が再生されている際、録画制御部２０は、利用者が眠りに入った場合、即ち眠気測定値監視部１８により眠気測定値が閾値１に達していると判定された場合、そのテレビ放送の録画を開始する。図４の例では、ポイントＰ１の時点で、録画制御部２０は、録画を開始する。これにより、利用者が、テレビを観賞している間に眠ったとしても、録画をしているため、眠ったことにより見逃したコンテンツを鑑賞することができる。
【００６９】
なお、録画制御部２０は、利用者がテレビ放送を録画している最中に、利用者が眠りから覚めたと判定できる場合、即ち眠気測定値が閾値０を下回った場合、テレビ放送の録画を停止する。図４の例では、録画制御部２０は、ポイントＰ６の時点でテレビ放送の録画を停止する。これにより、コンテンツ再生制御装置１は、利用者が目覚めた状態になっているにも関わらず、テレビ放送を録画し続けることにより、映像情報記録再生部２２の記憶容量を浪費することを防止できる。
【００７０】
（再生情報検索）
次に、再生情報検索について説明する。ここで、再生情報検索とは、再生したコンテンツに対応する再生情報を検索することを意味する。
【００７１】
表示制御部３０は、図６に示すように、映像情報記録再生部２２が再生することができるコンテンツを一覧表示するコンテンツリスト画面を表示部２４へ表示する。コンテンツリスト画面には、コンテンツリスト表示領域３６及びポイント検索ボタン３７が含まれる。利用者の操作により、コンテンツリスト表示領域３６内のいずれかのコンテンツが選択された状態で、ポイント検索ボタン３７が押下されると、再生情報検索部１９は、選択されたコンテンツに対応して記憶されている再生情報を検索する。図７に示すように、再生情報検索部１９が再生情報を検索すると、表示制御部３０は順次検索された再生情報を画面に表示する。そして、再生情報検索部１９による再生検索処理が終了すると、表示制御部３０は、検索した再生情報の一覧を画面に表示する。
【００７２】
図８は、再生情報の一覧画面の例である。表示制御部３０は、再生情報表示領域４０に、再生年月日、再生経過時間、眠気測定値、及び、地点情報を表示し、さらに、選択ボタン４１上に再生ポイント識別子を表示する。なお、コンテンツ再生制御装置１は、利用者により選択ボタン４１が押下されると、選択ボタン４１に対応する再生情報に含まれる再生経過時間から当該コンテンツを再生する。
【００７３】
（再生情報登録処理）
次に、本実施例における、再生情報登録処理について、図９を参照して説明する。図９は、再生情報登録処理のフローチャートである。再生情報登録処理とは、眠気測定値が所定の閾値に達した場合に、達した時点における再生情報を記憶する処理である。
【００７４】
まず、コンテンツ再生制御装置１は、映像情報記録再生部２２がコンテンツを再生しているか否かを判定する（ステップＳ１）。コンテンツを再生している場合（ステップＳ１；Ｙｅｓ）、眠気測定値監視部１８は、眠気測定部１７が測定した眠気測定値が、眠気閾値設定部１６が予め設定した閾値より下回った値から閾値へ達しているか否か判定する（ステップＳ２）。なお、ここで閾値は前述の閾値１及び閾値２を含む。
【００７５】
眠気測定値が閾値へ達していると眠気測定値監視部１８が判定した場合（ステップＳ２；Ｙｅｓ）、再生ポイント制御部２１は、直前の再検出禁止期間Ｔの間に、同一の閾値１又は閾値２に達したことによる再生ポイントが存在しているか否か判定する（ステップＳ３）。
【００７６】
直前の再検出禁止期間Ｔの間に、同一の閾値１又は閾値２に達したことによる再生ポイントが存在していない場合（ステップＳ３；Ｙｅｓ）、再生情報生成部２９は、時間計測部１５から現在の「年月日及び時刻情報」を再生年月日として取得する（ステップＳ４）。また、再生情報生成部２９は、映像情報記録再生部２２からコンテンツの再生経過時間を取得する（ステップＳ５）。さらに、再生情報生成部２９は、ナビゲーションシステム部３から地点情報を取得する（ステップＳ６）。
【００７７】
そして、再生ポイント制御部２１は、再生ポイント情報と、上記再生年月日、再生経過時間及び地点情報を含む再生情報とを映像情報記録再生部２２内の所定の記憶領域に記憶する（ステップＳ７）。こうしてコンテンツ再生制御装置１は、再生情報登録処理を終了する。
【００７８】
このように、上記の再生情報登録処理では、上記心拍検出部９は、利用者の心拍信号を的確に取得し、眠気測定部１７が当該心拍信号から所定の演算を行うことにより、利用者が眠っているか否か、また、どの程度の深さで眠っているかを示す眠気測定値を算出する。そして、眠気測定値監視部１８は、眠気測定値を参照することにより、利用者が眠っているか否か、検出する。再生情報生成部２９は、眠気測定値監視部１８の判定結果により利用者が眠っていると判断できる場合に、眠気測定値監視部１８の検出時点における再生情報を取得し、当該再生情報を記憶する。
【００７９】
これにより、コンテンツ再生制御装置１は、利用者が眠った時点のコンテンツの再生情報を記憶することができる。従って、利用者は、当該コンテンツ再生制御装置１を操作することにより、当該再生情報を利用し、眠った時点からコンテンツの再生を再開すれば、利用者が見逃した個所から簡易にコンテンツを鑑賞することができる。
【００８０】
また、上記の再生情報登録処理では、再生ポイント制御部２１は、眠気測定値が一度ある閾値に達したことによって再生情報を取得すると、所定の再検出禁止期間Ｔ中に眠気測定値が再度当該閾値に達しても再生情報を取得しない。これにより、コンテンツ再生制御装置１は、ほぼ同一時点の再生情報を複数回記憶することがないため、再生情報の記憶領域を無駄に消費することを防止できる。
【００８１】
また、上記の再生情報登録処理では、再生情報は地点情報を含む。これにより、利用者がどの時点からコンテンツを再生すべきか判断する際の、有益な情報を提供できる。
【００８２】
上述では、眠気測定値が閾値１及び閾値２に達した場合、コンテンツ再生制御装置１は、再生情報を記憶するのみであった。その代わりに、眠気測定値が閾値１に達した時点で、コンテンツ再生制御装置１がＤＶＤの再生状態を一時停止にし、眠気測定値が閾値２に達した時点で、再生ポイント制御部２１が再生情報を記憶するとともにコンテンツ再生制御装置１がＤＶＤの再生状態を停止にしても良い。
【００８３】
（再生情報検索処理及び再生情報に基づく再生処理）
次に、本実施例における、再生情報検索処理及び再生情報に基づく再生処理について、図１０を参照して説明する。図１０は、再生情報検索処理及び再生情報に基づく再生処理のフローチャートである。
【００８４】
再生情報検索処理は、コンテンツに対応する再生情報を検索し、検索した再生情報を一覧表示する。また、再生情報に基づく再生処理は、一覧表示した再生情報が利用者の操作により選択されると、当該再生情報に対応する再生経過時間の位置からコンテンツの再生を行う。
【００８５】
図１０において、まず、表示制御部３０は、利用者の操作により「コンテンツリスト」の表示指示がなされたことを検知すると（ステップＳ１１）、図６のような、映像情報記録再生部２２が保持しているコンテンツについての一覧であるコンテンツリストを表示する（ステップＳ１２）。
【００８６】
コンテンツ再生制御装置１は、利用者によって、コンテンツリスト表示領域３６内のいずれかのコンテンツが選択され、さらにポイント検索ボタン３７が押下されたことを検知すると（ステップＳ１３；Ｙｅｓ）、再生情報検索部１９は、利用者によって選択されたコンテンツに対応する再生情報を検索し、表示制御部３０は、再生情報検索部１９が検索した再生情報を図８のように一覧表示する（ステップＳ１４）。
【００８７】
次に、コンテンツ再生制御装置１がいずれかの再生情報に対応する選択ボタン４１が選択されたことを検知すると（ステップＳ１５；Ｙｅｓ）、映像情報記録再生部２２は、当該再生情報の再生経過時間に対応する個所から、対応するコンテンツの再生を行う（ステップＳ１６）。そして、コンテンツ再生制御装置１は、再生情報検索処理及び再生情報に基づく再生処理を終了する。
【００８８】
このように、再生情報検索処理及び再生情報に基づく再生処理では、表示制御部３０が記憶された再生情報を一覧表示する。そして、映像情報記録再生部２２は、一覧表示をした再生情報のいずれかが選択されると、当該再生情報を基にコンテンツの再生を行う。これにより、映像再生制御装置１は、利用者が眠った時点以降のコンテンツを再生することができる。
【００８９】
［第２実施例］
次に、第２実施例について説明する。上記の第１実施例では、ＤＶＤの再生中に、眠気測定値が所定の閾値に達した時点で、再生ポイントに関する再生情報を記憶している（再生情報登録処理）。これに対し、第２実施例では、テレビを放映している状況下において、利用者が眠りに入った時点、即ち眠気測定値が所定の閾値１又は閾値２に達した時点で、そのテレビ放送の録画を開始する。そして、テレビ放送の録画中に、利用者が眠りから覚めた時点、即ち、眠気測定値が所定の閾値０以下となった時点で、テレビ放送の録画を停止する。また、テレビ放送の録画開始時には、上記の実施例における、再生情報登録処理を並行して行い、利用者が眠りに入った時点（即ち再生ポイント）の再生情報を記憶する。なお、第２実施例における再生情報は、各再生ポイントを識別する識別子、録画を開始してからの経過時間、眠気測定値、録画開始時間、録画したチャンネル及び再生ポイント時の地点情報を含む。そして、上記の第１実施例と同様に、表示制御部３０が図１１に例示するように、再生情報の一覧画面を表示する。
【００９０】
再生情報に基づく再生時には、利用者の操作により所定のコンテンツが一覧画面から選択されると、図１１に示すように、表示制御部３０が録画した再生情報の一覧を表示する。表示制御部３０は、再生情報表示領域４０に、録画を開始してからの経過時間、眠気測定値、録画開始時間、録画したチャンネル及び再生ポイント時の地点情報を表示し、さらに、選択ボタン４１上に再生ポイント識別子を表示する。なお、コンテンツ再生制御装置１は、選択ボタン４１が押下されると、対応する再生情報が示す録画済みのテレビ放送を再生する。
【００９１】
（録画制御処理）
次に、第２実施例における、録画制御処理について、図１２を参照して説明する。図１２は、録画制御処理のフローチャートである。
【００９２】
録画制御処理とは、テレビ放映中に、眠気測定値が所定の閾値に達しているか否かに応じて、録画や録画停止を行う処理である。
【００９３】
コンテンツ再生制御装置１は、映像情報記録再生部２２がテレビ放送を再生しているか否かを判定した結果、テレビ放送を再生している場合（ステップＳ２１；Ｙｅｓ）、眠気測定値監視部１８は、眠気測定値が閾値１より下回った値から閾値１へ達しているか否か判定する（ステップＳ２２）。
【００９４】
眠気測定値監視部１８によって、眠気測定値が閾値１へ達していると判定された場合（ステップＳ２；Ｙｅｓ）、録画制御部２０は、再生中のテレビ放送の録画を開始し（ステップＳ２３）、録画したデータを映像情報記録再生部２２内の記憶媒体（例えば、ＨＤＤ等）に記憶する。同時に、再生情報生成部２９はその時点の再生情報を生成し、映像情報記録再生部２２に記憶する。ここでの再生情報は、前述のように、各再生ポイントを識別する識別子、録画を開始してからの経過時間、眠気測定値、録画開始時間、録画したチャンネル及び再生ポイント時の地点情報を含む。
【００９５】
テレビ放送の録画中において、眠気測定値監視部１８によって、眠気測定値が閾値０を下回ったと判定された場合（ステップＳ２４；Ｙｅｓ）、録画制御部２０は、録画を停止し（ステップＳ２５）、コンテンツ再生制御装置１は、録画制御処理を終了する。
【００９６】
なお、録画したテレビ放送のデータに対応する再生情報の検索処理や録画したテレビ放送の再生処理は、第１実施例の「再生情報検索処理及び再生情報に基づく再生処理」と同様である。
【００９７】
このように、第２実施例では、録画制御部２０は、眠気測定値監視部１８の検出結果により、利用者が眠っていると判断できる場合に、眠気測定値監視部１８の検出時点から録画を行う。
【００９８】
これにより、映像再生制御装置１は、利用者が眠った時点以降のテレビ放送内容を記録することができる。従って、利用者は、当該眠った時点から録画内容を再生すれば、簡易に利用者が見逃した個所からテレビ放送を鑑賞することができる。
【００９９】
また、第２実施例では、テレビ放送の録画中において、録画制御部２０は、眠気測定値監視部１８の検出結果により、利用者が目を覚ましたと判断できる場合に、眠気測定値監視部１８の検出時点から録画を停止する。これにより、映像再生制御装置１は、利用者が目を覚ましたにも関わらず、テレビ放送を録画し続けることを防止することができる。
【０１００】
なお、第２実施例では、録画制御部２０は、眠気測定値が閾値０に達した場合に録画停止をする場合について述べたが、本発明はこれに限られず、録画停止を行わないようにしても良い。
【０１０１】
また、第２実施例では、再生情報生成部２９が録画時にのみ再生情報を記憶する場合について述べたが、本発明はこれに限られず、第１実施例と同様に、眠気測定値が所定の閾値（例えば、閾値１又は閾値２）に達する度に再生情報を記憶しても良い。
【０１０２】
上記の第２実施例では、眠気測定値が所定の閾値に達した場合、録画制御部２０がテレビ放送を録画するとともに、再生情報生成部２９が再生情報登録処理を行う場合について述べた。しかし、本発明はこれに限られず、眠気測定値が所定の閾値に達した場合に、テレビ放送の録画のみを行い、再生情報登録処理を行わないこととしても良い。
【０１０３】
［変形例］
上記の第１及び第２実施例では、コンテンツ再生制御装置１が車内に設置された場合について述べたが、本発明はこれに限られず、家庭内のオーディオシステムに適用しても良い。
【０１０４】
上記の第１及び第２実施例では、テレビ映像やＤＶＤの映像について再生情報を記憶する場合について述べたが、本発明ではこれに限られず、ＣＤ等の音楽について再生情報を記憶するようにしても良い。
【０１０５】
上記の第１及び第２実施例では、心拍信号を基に眠気測定値を算出する場合について述べたが、本発明はこれに限られず、他の手法を用いて眠気測定値を算出しても良い。
【０１０６】
上記の第２実施例では、眠気測定値に応じて、再生中の映像情報を録画する場合について述べたが、本発明はこれに限られず、オーディオシステムにコンテンツ再生制御装置を適用した場合等において、眠気測定値に応じて、再生中の音楽を録音するようにしても良い。
【図面の簡単な説明】
【０１０７】
【図１】コンテンツ再生制御装置のブロック図である。
【図２】ナビゲーションシステム部のブロック図である。
【図３】ＭＴピックアップの付着形成例を示す図である。
【図４】眠気測定値の推移を示すグラフである。
【図５】コンテンツの再生画面を示す模式図である。
【図６】コンテンツのリストを示す模式図である。
【図７】再生情報を検索している画面を示す模式図である。
【図８】再生情報一覧画面を示す模式図である。
【図９】再生情報登録処理のフローチャートである。
【図１０】再生情報の検索処理及び再生情報に基づく再生処理のフローチャートである。
【図１１】テレビを録画した場合の再生情報一覧画面を示す模式図である。
【図１２】録画処理のフローチャートである。
【符号の説明】
【０１０８】
１  コンテンツ再生制御装置
３  ナビゲーションシステム部
１１  制御部
１７  眠気測定部
１８  眠気測定値監視部
１９  再生情報検索部
２１  再生ポイント制御部
２２  映像情報記録再生部
２４  表示部
２５  操作入力部
【図１】
2008123625.tif 000003
【図２】
2008123625.tif 000004
【図３】
2008123625.tif 000005
【図４】
2008123625.tif 000006
【図５】
2008123625.tif 000007
【図６】
2008123625.tif 000008
【図７】
2008123625.tif 000009
【図８】
2008123625.tif 000010
【図９】
2008123625.tif 000011
【図１０】
2008123625.tif 000012
【図１１】
2008123625.tif 000013
【図１２】
2008123625.tif 000014